(57)【要約】      （修正有）【課題】指導者及び児童生徒自身が、効果的かつ効率的な学習を行えるような情報を付与できる教育支援システムを提供する。【解決手段】デジタルコンテンツのテキストデータを表示する表示部４１と、デジタルコンテンツの音声データを音声出力する音声出力部４７と、フレーズごとに再生ログデータを記憶する再生ログデータ記憶部４６と、再生ログデータを送信する送信部４２とを有する複数の端末装置４０と、各端末装置４０に配信するデジタルコンテンツが記憶されているデジタルコンテンツ記憶部と、各端末装置４０からの再生ログデータを受信し、受信した再生ログデータをフレーズごとに再生時間及び再生回数に変換するデータ変換部と、変換されたデータを表示するサーバ表示部と、フレーズの文字列の再生に要した時間を横方向の長さで示すとともに、フレーズごとの再生回数を同一画面上で表示させる表示制御部とを有するサーバとを具備する。【選択図】図２
2016212169.tif 000002
【特許請求の範囲】
【請求項１】
テキストデータ及び該テキストデータを読み上げてなる音声データを含むデジタルコンテンツのテキストデータを表示する端末表示部と、デジタルコンテンツの音声データを音声出力する音声出力部と、前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、該再生ログデータ記憶部に記憶された再生ログデータを送信する送信部と、を有する１又は複数の端末装置と、
各前記端末装置から送信された再生ログデータを受信する受信部と、該受信部によって受信された各前記端末装置の再生ログデータをデジタルコンテンツのフレーズごとに再生に要した時間及び再生回数に変換するデータ変換部と、該データ変換部によって変換されたデジタルコンテンツのフレーズごとの再生に要した時間及び再生回数を表示するサーバ表示部と、前記サーバ表示部に表示させる再生ログデータのフレーズの文字列を縦方向に配置し、該フレーズの文字列の再生に要した時間を各文字列の右側に配置したマス目の横方向の長さで示すとともに、フレーズごとの再生回数を同一画面上で表示させる表示制御部と、を有するサーバ装置とを具備することを特徴とする教育支援システム。
【請求項２】
各前記端末装置は、
端末表示部の表示面と同じ方向を向くカメラと、
カメラで撮像された端末装置の操作者の目の画像を解析することにより操作者の視線方向を算出し、算出された視線が端末表示部に表示されているデジタルコンテンツの文章のいずれの箇所に向いているかを検出する視線検出手段とを有し、
該視線検出手段によって検出された視線を受けた箇所は、前記再生ログデータと関連付けして前記再生ログデータ記憶部に記憶され、
前記サーバ装置の前記表示制御部は、前記サーバ表示部に表示させるフレーズの文字列に関連付けして視線が向いていた文字列を表示することを特徴とする請求項１記載の教育支援システム。
【請求項３】
各前記端末装置は、
端末表示部がタッチパネルであり、
デジタルコンテンツの再生時に端末装置の操作者が端末表示部をタップした場合にタップされた箇所が端末表示部に表示されているデジタルコンテンツの文章のいずれの箇所かを検出するタップ位置検出手段とを有し、
該タップ位置検出手段によって検出されたタップされた箇所は、前記再生ログデータと関連付けして前記再生ログデータ記憶部に記憶され、
前記サーバ装置の前記表示制御部は、前記サーバ表示部に表示させるフレーズの文字列に関連付けしてタップされた文字列を表示することを特徴とする請求項１又は請求項２記載の教育支援システム。
【請求項４】
各前記端末装置は、
少なくとも文字書式、文字の色、及び音声出力条件を含む再生時設定情報を、前記サーバ装置及び当該端末装置の双方からの指示によって設定可能であって、設定された条件でデジタルコンテンツの表示及び音声出力を実行させる再生条件設定部を備えることを特徴とする請求項１〜請求項３のうちのいずれか１項記載の教育支援システム。
【請求項５】
各前記端末装置は、
各前記端末装置の操作者が操作した内容も再生ログデータとして再生ログデータ記憶部に記憶することを特徴とする請求項１〜請求項４のうちのいずれか１項記載の教育支援システム。
【請求項６】
テキストデータ及び該テキストデータを読み上げてなる音声データを含むデジタルコンテンツのテキストデータを表示する表示部と、
デジタルコンテンツの音声データを音声出力する音声出力部と、
前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、
該再生ログデータ記憶部の再生ログデータをデジタルコンテンツのフレーズごとに再生に要した時間及び再生回数に変換するデータ変換部と、
該データ変換部によって変換された再生ログデータのフレーズの文字列を縦方向に配置し、該フレーズの文字列の再生に要した時間を各文字列の右側に配置したマス目の横方向の長さで示すとともに、フレーズごとの再生回数を同一画面上で表示させる表示制御部と、を具備することを特徴とする端末装置。
【請求項７】
表示部の表示面と同じ方向を向くカメラと、
カメラで撮像された操作者の目の画像を解析することにより操作者の視線方向を算出し、算出された視線が表示部に表示されているデジタルコンテンツの文章のいずれの箇所に向いているかを検出する視線検出手段とを備え、
該視線検出手段によって検出された視線を受けた箇所は、前記再生ログデータと関連付けして前記再生ログデータ記憶部に記憶され、
前記表示制御部は、前記表示部に表示させるフレーズの文字列に関連付けして視線が向いていた文字列を表示することを特徴とする請求項４記載の端末装置。
【請求項８】
前記視線検出手段によって検出された視線を受けた箇所は、テキストデータ表示中の表示部に表示されることを特徴とする請求項５記載の端末装置。
【請求項９】
表示部がタッチパネルであり、
デジタルコンテンツの再生時に操作者が表示部をタップした場合にタップされた箇所が表示部に表示されているデジタルコンテンツの文章のいずれの箇所かを検出するタップ位置検出手段とを有し、
該位置検出手段によって検出されたタップされた箇所は、前記再生ログデータと関連付けして前記再生ログデータ記憶部に記憶され、
前記表示制御部は、前記表示部に表示させるフレーズの文字列に関連付けしてタップされた文字列を表示することを特徴とする請求項４〜請求項６のうちのいずれか１項記載の端末装置。
【請求項１０】
操作者が操作した内容も再生ログデータとして再生ログデータ記憶部に記憶することを特徴とする請求項６〜請求項９のうちのいずれか１項記載の端末装置。
【発明の詳細な説明】
【技術分野】
【０００１】
本発明は、学習用デジタルコンテンツによる教育支援システム及び教育支援システムの端末装置に関する。
【背景技術】
【０００２】
電子データとしてあらかじめ記憶されている電子図書を音声として再生する装置が従来から知られている（例えば、特許文献１参照）。この特許文献１に開示されている装置は、ＤＡＩＳＹ（Ｄｉｇｉｔａｌ    Ａｃｃｅｓｓｉｂｌｅ    Ｉｎｆｏｒｍａｔｉｏｎ  ＳＹｓｔｅｍ）規格によるデジタルコンテンツを再生する装置であり、特に視覚に障害がある人たちが読書を楽しむことが出来るように、本に記載されている文章情報を音声として読み上げることができる装置である。
【０００３】
上記のようなデジタルコンテンツの再生において、近年のネットワーク環境の整備に伴ってe-learningが普及しつつある（例えば、特許文献２参照）。
e-learningの利用方法として、デジタルコンテンツをe-learningによって児童生徒に配信し、児童生徒が一人ひとり操作する端末を操作し、学習用のデジタルコンテンツを再生することが採用できる。
【先行技術文献】
【特許文献】
【０００４】
【特許文献１】特開２０００−０５７７５２号公報
【特許文献２】特開２００４−６１７８８号公報
【発明の概要】
【発明が解決しようとする課題】
【０００５】
児童生徒が学習用デジタルコンテンツを再生して学習を行う場合、児童生徒を指導する指導者側で、再生終了直後に学習の進捗状況を把握、管理する必要性がある。
また、児童生徒自身も、再生終了直後に再生状況を確認した方が、自身の読解力の把握をしやすい。
【０００６】
そこで、本発明は上記課題を解決すべくなされ、その目的とするところは、指導者及び児童生徒自身が、効果的かつ効率的な学習を行えるような情報を付与できる教育支援システム及び端末装置を提供する。
【課題を解決するための手段】
【０００７】
本発明にかかる教育支援システムによれば、テキストデータ及び該テキストデータを読み上げてなる音声データを含むデジタルコンテンツのテキストデータを表示する端末表示部と、デジタルコンテンツの音声データを音声出力する音声出力部と、前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、該再生ログデータ記憶部に記憶された再生ログデータを送信する送信部と、を有する１又は複数の端末装置と、各前記端末装置から送信された再生ログデータを受信する受信部と、該受信部によって受信された各前記端末装置の再生ログデータをデジタルコンテンツのフレーズごとに再生に要した時間及び再生回数に変換するデータ変換部と、該データ変換部によって変換されたデジタルコンテンツのフレーズごとの再生に要した時間及び再生回数を表示するサーバ表示部と、前記サーバ表示部に表示させる再生ログデータのフレーズの文字列を縦方向に配置し、該フレーズの文字列の再生に要した時間を各文字列の右側に配置したマス目の横方向の長さで示すとともに、フレーズごとの再生回数を同一画面上で表示させる表示制御部と、を有するサーバ装置とを具備することを特徴としている。
この構成を採用することによって、端末装置によって再生されたデジタルコンテンツの再生ログデータがサーバ装置によって表示され、児童生徒の学習の進捗状況を容易に把握できる。
【０００８】
また、各前記端末装置は、端末表示部の表示面と同じ方向を向くカメラと、カメラで撮像された端末装置の操作者の目の画像を解析することにより操作者の視線方向を算出し、算出された視線が端末表示部に表示されているデジタルコンテンツの文章のいずれの箇所に向いているかを検出する視線検出手段とを有し、該視線検出手段によって検出された視線を受けた箇所は、前記再生ログデータと関連付けして前記再生ログデータ記憶部に記憶され、前記サーバ装置の前記表示制御部は、前記サーバ表示部に表示させるフレーズの文字列に関連付けして視線が向いていた文字列を表示することを特徴としてもよい。
この構成によれば、端末装置の操作者のコンテンツ再生中の視線位置を、容易に把握することができる。このため、例えば問題文に対して回答を検討する際に正しい箇所を視線が追っているか否かを容易に把握することができる。
【０００９】
また、各前記端末装置は、端末表示部がタッチパネルであり、デジタルコンテンツの再生時に端末装置の操作者が端末表示部をタップした場合にタップされた箇所が端末表示部に表示されているデジタルコンテンツの文章のいずれの箇所かを検出するタップ位置検出手段とを有し、該タップ位置検出手段によって検出されたタップされた箇所は、前記再生ログデータと関連付けして前記再生ログデータ記憶部に記憶され、前記サーバ装置の前記表示制御部は、前記サーバ表示部に表示させるフレーズの文字列に関連付けしてタップされた文字列を表示することを特徴としてもよい。
この構成によれば、端末装置の操作者が表示部をタップした部分を、容易に把握することができる。このため、例えば問題文に対して回答を検討する際に正しい箇所をタップしているか否かを容易に把握することができる。
【００１０】
また、各前記端末装置は、少なくとも文字書式、文字の色、及び音声出力条件を含む再生時設定情報を、前記サーバ装置及び当該端末装置の双方からの指示によって設定可能であって、設定された条件でデジタルコンテンツの表示及び音声出力を実行させる再生条件設定部を備えることを特徴としてもよい。
この構成によれば、再生時の条件を各端末装置の操作者が自ら設定できるとともに、サーバ装置の操作者も各端末装置の再生時の条件を設定できる。このため、サーバ装置の操作者が学習の進捗状況等に基づいて、これに適した条件を設定することができる。
【００１１】
また、各前記端末装置は、各前記端末装置の操作者が操作した内容も再生ログデータとして再生ログデータ記憶部に記憶することを特徴としてもよい。
この構成によれば、各端末装置でどのような操作がされたかも確実に把握できる。
【００１２】
本発明にかかる端末装置によれば、テキストデータ及び該テキストデータを読み上げてなる音声データを含むデジタルコンテンツのテキストデータを表示する表示部と、デジタルコンテンツの音声データを音声出力する音声出力部と、前記端末表示部及び前記音声出力部によって再生されたデジタルコンテンツのフレーズごとに、少なくとも該フレーズのＩＤ情報及び該フレーズの再生開始時間を再生ログデータとして記憶する再生ログデータ記憶部と、該再生ログデータ記憶部の再生ログデータをデジタルコンテンツのフレーズごとに再生に要した時間及び再生回数に変換するデータ変換部と、該データ変換部によって変換された再生ログデータのフレーズの文字列を縦方向に配置し、該フレーズの文字列の再生に要した時間を各文字列の右側に配置したマス目の横方向の長さで示すとともに、フレーズごとの再生回数を同一画面上で表示させる表示制御部と、を具備することを特徴としている。
この構成を採用することによって、端末装置によって再生されたデジタルコンテンツの再生ログデータを表示させることができるので、児童生徒自身が、学習の進捗状況を容易に把握できる。
【００１３】
また、表示部の表示面と同じ方向を向くカメラと、カメラで撮像された操作者の目の画像を解析することにより操作者の視線方向を算出し、算出された視線が表示部に表示されているデジタルコンテンツの文章のいずれの箇所に向いているかを検出する視線検出手段とを備え、該視線検出手段によって検出された視線を受けた箇所は、前記再生ログデータと関連付けして前記再生ログデータ記憶部に記憶され、前記表示制御部は、前記表示部に表示させるフレーズの文字列に関連付けして視線が向いていた文字列を表示することを特徴としてもよい。
この構成によれば、児童生徒自身が、自分の視線位置を、容易に把握することができる。このため、例えば問題文に対して回答を検討する際に正しい箇所を視線が追っているか否かを容易に把握することができる。
【００１４】
また、前記視線検出手段によって検出された視線を受けた箇所は、テキストデータ表示中の表示部に表示されることを特徴としてもよい。
この構成によれば、視線の位置をリアルタイムで操作者に把握させることができる。
【００１５】
また、表示部がタッチパネルであり、デジタルコンテンツの再生時に操作者が表示部をタップした場合にタップされた箇所が表示部に表示されているデジタルコンテンツの文章のいずれの箇所かを検出するタップ位置検出手段とを有し、該タップ位置検出手段によって検出されたタップされた箇所は、前記再生ログデータと関連付けして前記再生ログデータ記憶部に記憶され、前記表示制御部は、前記表示部に表示させるフレーズの文字列に関連付けしてタップされた文字列を表示することを特徴としてもよい。
この構成によれば、児童生徒自身が、自分が表示部をタップした部分を、容易に把握することができる。このため、例えば問題文に対して回答を検討する際に正しい箇所をタップしているか否かを容易に把握することができる。
【００１６】
また、操作者が操作した内容も再生ログデータとして再生ログデータ記憶部に記憶することを特徴としてもよい。
この構成によれば、各端末装置でどのような操作がされたかも確実に把握できる。
【発明の効果】
【００１７】
本発明によれば、児童生徒の読解力の支援を実現できる。
【図面の簡単な説明】
【００１８】
【図１】本発明の教育支援システムの全体構成を示す説明図である。
【図２】端末装置の内部構成を示すブロック図である。
【図３】端末装置の表示部を示す説明図である。
【図４】サーバ装置の内部構成を示すブロック図である
【図５】再生ログデータの例を示す説明図である。
【図６】再生に要した時間と再生回数のグラフを示す説明図である。
【図７】再生に要した時間と、再生回数と、視線位置と、タップ位置のグラフを示す説明図である。
【図８】再生に要した時間と、視線位置とのグラフを示す説明図である。
【図９】再生に要した時間と、視線位置との他のグラフを示す説明図である。
【図１０】端末装置の他の構成を示すブロック図である。
【図１１】端末装置でテキストデータと共に視線位置を表示させる例を示す説明図である。
【発明を実施するための形態】
【００１９】
本発明にかかる教育支援システムの全体構成を図１に示す。
教育支援システム２０は、1又は複数のサーバ装置３０と、１又は複数の端末装置４０とを備えている。図１では、1台のサーバ装置３０に、複数の端末装置４０がインターネット等のネットワーク２１を介して接続されているところを示している。
【００２０】
教育支援システム２０は、児童生徒一人一人が少なくとも１台の端末装置４０を所有しているものであり、各端末装置４０において学習用デジタルコンテンツをサーバ装置３０からダウンロードして各児童生徒が学習用デジタルコンテンツを視聴するものである。学習用デジタルコンテンツとしては、ＤＡＩＳＹ規格による電子図書を採用している。児童生徒が端末装置４０を操作して学習用デジタルコンテンツを再生することで、学習用デジタルコンテンツの文章部分が端末装置に表示されるとともに表示された文章部分に対応する音声データを端末装置が読み上げるように動作する。
また、サーバ装置３０は、児童生徒の指導者又は教師など、児童生徒を束ねる立場にある者が操作可能とするものである。
【００２１】
端末装置４０の構成を示す図２に基づいて、端末装置４０について説明をする。
端末装置４０は、インターネットに接続可能な携帯端末であるタブレット端末（スレート型ＰＣ）を採用することができる。
端末装置４０は、タッチパネルを採用した表示部４１と、インターネットに接続するためのインターフェース部４２と、ＣＰＵ及びメモリ等から構成される制御部４４と、音声を出力するスピーカ４７とを備えている。なお、特許請求の範囲の端末表示部は、上記の表示部４１が該当する。また、特許請求の範囲の音声出力部は、上記のスピーカ４７が該当する。
【００２２】
端末装置４０は、サーバ装置３０に記憶されているデジタルコンテンツを再生する再生ソフトウェアＡを備えている。再生ソフトウェアは、サーバ装置３０からダウンロードしたデジタルコンテンツを再生可能（ダウンロードしながら再生するストリーミング再生を含む）な機能を有するプログラムから構成されている。再生ソフトウェアＡは、半導体メモリなどの記憶部４６に記憶されており、制御部４４が再生ソフトウェアＡを読み出して実行することでデジタルコンテンツの再生が行われる。
【００２３】
端末装置４０は、少なくとも文字書式、文字の色、及び音声出力条件を含む再生時設定情報を設定することができる。この再生時設定情報に基づいてデジタルコンテンツの再生が行われる。再生時設定情報として、さらに具体的には、文字の書体、文字の大きさ、音声再生速度などを挙げることができる。
【００２４】
端末装置４０は、再生時設定情報を端末装置４０の操作者（児童生徒）によって設定可能であって、設定された条件でデジタルコンテンツの表示及び音声出力を実行させる再生条件設定部４９を有している。
なお、再生条件設定部４９は、端末装置４０の操作者（児童生徒）だけでなく、サーバ装置３０からも操作可能に設けられている。すなわち、サーバ装置３０の操作者（指導者）によって、各児童生徒に適した再生時の設定を行うことができ、学習効果を上げることができる。
【００２５】
本実施形態におけるデジタルコンテンツは、電子図書であるとする。電子図書の規格としては、デジタル録音図書であるＤＡＩＳＹ規格などが代表的である。
ＤＡＩＳＹ規格の電子図書データは、ｓｍｉｌ（Synchronized Multimedia Integration Language）ファイルと、見出し情報が記述されたｎｃｃファイル又はｎｃｘファイルと、表示部４１に表示可能なテキストデータを記述したｈｔｍｌファイル又はｘｍｌファイルと、テキストデータを読み上げた音声データファイルとを備えている。
【００２６】
ｓｍｉｌファイルは、マークアップ言語の一種であり、ｈｔｍｌファイル又はｘｍｌファイル内の各フレーズの表示する順番と、各フレーズに対応する音声データファイルの再生開始・終了時間が記述されている。
【００２７】
端末装置４０において、制御部４４が再生ソフトウェアＡを実行すると、所定のデジタルコンテンツのフレーズごとにテキストデータが表示部４１に表示される。また、端末装置の操作者（児童生徒）が後述する再生ボタン５０をタップすることにより、表示部４１に表示されているテキストデータに該当する部分の音声データファイルがテキストデータと同期してスピーカ４７から音声出力される。
【００２８】
再生ソフトウェアＡの実行に伴い、端末装置４０の表示部４１には、例えば図３に示すような画面が表示される。
この図に示す例では、右から左方向にデジタルコンテンツ中の文章の一部が表示されている。また、文章の下部には、再生ボタン５０、早送りボタン５２、巻き戻しボタン５４、次ページボタン５６、前ページボタン５８が表示されている。
【００２９】
表示部４１は、タッチパネルであるので、操作者（児童生徒）が、上記の再生ボタン５０、早送りボタン５２、巻き戻しボタン５４、次ページボタン５６、前ページボタン５８のいずれか、または聞きたいフレーズを直接タップすることによって、再生ソフトウェアＡは各動作を実行する。
【００３０】
例えば、操作者（児童生徒）が再生ボタン５０をタップすると、再生ソフトウェアＡは表示部４１に表示されている文章に対応する音声データファイルを再生する。
音声データファイルの再生が終了すると、操作者（児童生徒）は、理解が進まなかった場合は、巻き戻しボタン５４をタップすることによって、もう一度同じフレーズを再生できる。
また、次のページに進む場合には、次ページボタン５６をタップすることで、再生ソフトウェアは、次のフレーズの文章を表示部４１に表示させる。
【００３１】
音声データファイルの再生が行われると、１つのフレーズごとのフレーズのＩＤ情報と再生開始時間が再生ログデータとして記憶部４６に記憶される。なお、その他に再生ログデータとしては、日時、端末装置４０において操作された操作情報（再生ボタンや停止ボタンなどの操作）、再生情報（フレーズの内容）、サーバ装置３０からの設定値変更情報などを含むデータ等も含む。
【００３２】
再生ソフトウェアは、ピンチイン及びピンチアウトについても対応可能である。操作者（児童生徒）がピンチインをすると、再生ソフトウェアが表示部４１に表示されている各文字を縮小し、さらに多くの文字を表示させる。したがって、１画面当たりにおける表示文字数が増加することとなる。
一方、操作者（児童生徒）がピンチアウトをすると、再生ソフトウェアが表示部４１に表示されている各文字を拡大し、表示されている文字数を減らす。したがって、１画面当たりにおける表示文字数が減少することとなる。
【００３３】
ピンチイン又はピンチアウトすることに伴って、１画面ごとの再生時間も異なってくるが、再生ログデータとしては、１つのフレーズ単位で再生時間とともに画面に表示されている先頭のフレーズと最後のフレーズもログとして記憶することで、ピンチイン又はピンチアウトの操作を記録することができる。同様に、スクロールの操作も記録することができる。
【００３４】
記憶部４６に記憶された再生ログデータは、１つの学習用デジタルコンテンツの再生が終了したのちに、まとめてサーバ装置３０へ送信される。再生ログデータの送信タイミングとしては、再生ソフトウェアＡが再生終了のタイミングで送信を行えばよい。
ただし、再生ログデータのサーバ装置３０への送信は、１つフレーズにおける再生時間の検出が終了する都度、フレーズごとの再生ログデータを送信してもよい。
【００３５】
端末装置４０には、表示部４１の表面と同一方向を向くカメラ７０が設けられている。カメラ７０は、表示部４１を操作する操作者（児童生徒）の方を向くように配置されている。カメラ７０は、レンズと撮像素子とを有している。カメラ７０には、撮影された画像から視線を検出する視線検出部７５が接続されている。
【００３６】
視線検出部７５は、演算装置及びメモリ等から構成されており、撮像素子からのデータが入力され、視線を検出する。
視線検出の方法としては種々のものがある。例えば、視線検出部７５は、撮影された画像の中から瞳孔の位置と角膜反射を検出することにより、視線の位置を決定することができる。また、別の方法としては、視線検出部７５が瞳孔の中心を検出し、この瞳孔の中心位置を視線位置とする方法がある。
【００３７】
視線検出部７５は、視線位置を連続して検出する。検出された視線位置は、視線上に表示されているテキストデータのフレーズの再生ログデータと共に、記憶部４６に記憶される。
また、視線検出部７５は、検出された視線が同じ位置で停止している場合、その停止時間も計測する。計測された視線の停止時間は、再生ログデータと共に、記憶部４６に記憶される。
【００３８】
なお、カメラ７０の動作は、表示部４１に表示される視線追尾ボタン（図示せず）を操作者（児童生徒）がタップすることにより開始される。また、カメラ７０の動作終了も、表示部４１に表示される視線追尾ボタン（図示せず）を操作者（児童生徒）がタップすることにより終了する。
ただし、カメラ７０の動作を、操作者（児童生徒）が指示した場合にのみ行うのではなく、再生ソフトウェアＡが起動した後、デジタルコンテンツの再生と共に自動的にカメラ７０も自動的に視線位置の検出を行ってもよい。
【００３９】
さらに、端末装置４０は、学習用デジタルコンテンツを再生中に、操作者（児童生徒）が表示部４１をタップした場合に、その位置を検出するタップ位置検出部７２を備えている。タップ位置検出部７２は、表示部４１からのタップの検出信号に基づいて、再生ソフトウェアＡによって再生されている学習用デジタルコンテンツのいずれのテキストデータの箇所でタップされているかを検出する。このタップ位置検出部７２は制御部４４の一機能として設けられていてもよい。
【００４０】
次に、サーバ装置３０の構成を図４に示す。
サーバ装置３０は一般的なコンピュータ（ＰＣ）を採用することができる。サーバ装置３０は、ＨＤＤ等から構成される記憶部６０と、インターネットに接続するためのインターフェース部６２と、ＣＰＵ及びメモリ等から構成される制御部６４と、モニタ等で構成される表示部６３と、マウス及びキーボード等を含む入力部６５とを備えている。
【００４１】
なお、特許請求の範囲のサーバ表示部は、上記の表示部６３が該当し、特許請求の範囲の受信部は、上記のインターフェース部６２が該当し、特許請求の範囲の表示制御部は、上記の制御部６４が後述する表示ソフトウェアを実行することで実現される。
【００４２】
サーバ装置３０では、各端末装置４０から送信されてきた再生ログデータ（視線位置、タップ位置があればそれを含めたデータ）をインターフェース部６２で受信し、記憶部６０に記憶している。
サーバ装置３０の制御部６４は、記憶部６０に記憶されている再生ログデータ（少なくともフレーズごとのＩＤ情報及びフレーズごとの再生開始時間を含む）を、フレーズごとに再生に要した時間及びフレーズごとの再生回数に変換し、変換したフレーズごとに再生に要した時間及びフレーズごとの再生回数を表示部６３に表示させることができる。すなわち、特許請求の範囲でいうデータ変換部は、制御部６４がデータ変換機能を実現する。
【００４３】
ここで、再生ログデータの構成を図５に示す。
各端末装置４０にて生成される再生ログデータは、何らかの操作ボタンが操作された日時、操作の内容、端末装置４０の状態、タイトル名、再生ファイル名、フレーズＩＤ、該当フレーズのテキストデータが含まれている。
【００４４】
制御部６４は、フレーズごとの再生開示時間と次のフレーズの再生開始時間に基づいて、各フレーズの再生に要した時間を算出する。また、制御部６４は、フレーズごとのファイル名に関して同じファイル名がいくつ存在するかに基づいて、各フレーズの再生回数を算出する。
【００４５】
制御部６４によって再生ログデータから算出された、各フレーズの再生に要した時間及び各フレーズの再生回数の表示は、あらかじめ記憶部６０に記憶されていた表示ソフトウェアＢによって実行される。
【００４６】
図６及び図７に、表示部６３に表示される各フレーズの再生に要した時間及び各フレーズの再生回数の表示例を示す。
図６のグラフは、横軸に時間を表し、縦軸は上から学習用デジタルコンテンツの文頭で下が文末となるように、文章を所定の範囲（フレーズ範囲）で区切っている。また、再生回数はグラフ右側において、横軸を再生回数にした棒グラフで表現している。
【００４７】
具体的に説明すると、縦軸の欄には、学習用デジタルコンテンツの文章がフレーズ範囲で区切られ、区切られた文字列が上から順番に表示されている。このフレーズに対応する再生時間が横軸のマス目の長さで表示される。
【００４８】
なお、この学習用デジタルコンテンツは、文末に問題文が表示される。児童生徒は、問題文に対して、表示された学習用デジタルコンテンツを巻き戻して該当箇所を検討することになる。
【００４９】
図６では、グラフが文末まで到達した後、児童生徒が再度問題文の箇所を巻き戻して表示させていることがわかる。また、その後に空白部分があるが、この時間は、児童生徒が紙の問題文を見ている時間である。そして、紙の問題文を見た後、３回ほど巻き戻して再生したことがわかる。
【００５０】
その後にも空白部分がある。この時間は、児童生徒が回答を記入している時間である。
一方、グラフの右端では、所定箇所ごとの再生回数が右方向に積み重ねられるような棒グラフで表示されるので、児童生徒がいずれの箇所をよく再生したかが容易に判明する。
【００５１】
再生回数をみると、本来の正答箇所を再生した回数が少なく、誤回答した箇所の再生箇所が多いことがわかる。したがって、児童生徒の文章の内容の理解度が低かったことが判明する。また、どの部分で誤答したのかが明確になるので、児童生徒に対する今後の指導の参考になる。
【００５２】
図７では、児童生徒の視線位置及びタップ位置を各フレーズの再生に要した時間及び各フレーズの再生回数と共に表示したところを示している。
図７のグラフも横軸に時間を表し、縦軸は上から学習用デジタルコンテンツの文頭で下が文末となるように、文章のフレーズで区切っている。また、再生回数はグラフ右側において、横軸を再生回数にした棒グラフで表現している。これらの点は、図６と同様である。
【００５３】
図７のグラフでは、各フレーズの再生時間を示すマス目内に、そのフレーズに視線が存在した場合には、丸印を表示させている。丸印は、マス目の色と異なる色で表示させるとよい。視線の位置が判明することにより、児童生徒が文章を確実に読んでいたかどうかの判断を容易にすることができる。
【００５４】
さらに、図７のグラフでは、児童生徒が端末装置４０の表示部４１をタップしていた箇所の再生時間を示すマス目の色を、他の箇所のマス目の色と異ならせて表示している。児童生徒がタップした位置が判明することにより、児童生徒が文書を確実に読んでいたかどうかの判断を容易にすることができる。
【００５５】
図７では、２回目に再生した際（文末の問題文を読んだ後）には、途中で早送りした箇所がある。この箇所は、問題文に対する回答とは無関係であるが、１回目の再生時に児童生徒は、この箇所が問題文に対する回答とは無関係であることを認識したうえで早送りしているので、児童生徒が文章をよく理解していることが判断できる。
【００５６】
なお、グラフ右端の再生回数（図面上では再生頻度と表示）の棒グラフにより、再生回数が多い箇所が判断でき、再生時間が大きい箇所も判断できるので、児童生徒にとって文章中の理解が難しい箇所が容易に把握できる。
【００５７】
図８に示すグラフは、ある児童生徒Ｘが、デジタルコンテンツの再生に要した時間及び視線位置を示すグラフである。上に示すグラフは、表示部４１においてフレーズごとのハイライト表示なし、及び音声再生なしで視線位置のみを示したものである。下に示すグラフは、表示部４１においてフレーズごとにハイライト表示させた場合であって、且つ音声再生も行った場合の各フレーズの再生に要した時間と視線位置を示すグラフである。
なお、図８の[で表されている箇所は、1画面分に表示している先頭のフレーズと最後のフレーズとを示している。
【００５８】
なお、ハイライト表示とは、表示部４１において、他の箇所と背景色を変更して所定のフレーズを目立たせるように表示させる表示方法をいう。操作者（児童生徒）は再生条件設定部４９を操作することによって、ハイライト表示するかしないかを設定することができる。
【００５９】
図８の上のグラフの例で、ハイライトなし、音声出力もなしの場合には、同じフレーズを何度も見ていたり、１つのフレーズに視線が長く滞留していることで、この児童生徒Ｘの読みが遅くなっていることがわかる。
図８の下のグラフの例で、ハイライトあり、音声出力ありの場合には、読みの速度が速く、画面外も含めて視線の暴れが多く、視覚で文字を読んでおらず、音声の情報保障により読みの速度が速くなっていることがわかる。
【００６０】
視線位置が表示部４１ではなく、表示部４１の外に位置する場合もある。このような場合、再生ソフトウェアＡは、下のグラフのようにグラフの最下部に視線位置を表示させるようにすればよい。グラフの最下部に視線位置が表示されている場合、この箇所ではデジタルコンテンツをほとんど読んでいないことがわかる。
【００６１】
図９に示すグラフは、ある児童生徒Ｙが、デジタルコンテンツの再生に要した時間及び視線位置を示すグラフである。上に示すグラフは、表示部４１においてフレーズごとのハイライト表示なし、及び音声再生なしで視線位置のみを示したものである。下に示すグラフは、表示部４１においてフレーズごとにハイライト表示させた場合であって、且つ音声再生も行った場合の各フレーズの再生に要した時間と視線位置を示すグラフである。
図９の上のグラフと下のグラフとでは、両者の読みの速度に大きな差はないことがわかる。
【００６２】
図８のグラフと図９のグラフとの互いの下のグラフどうしを比較すると、図９のグラフの方が再生に要した時間のマス目と視線位置とが一致しており、再生に要した時間のマス目の傾きが急であるので、児童生徒Ｙの方が視覚によっても正確にデジタルコンテンツを読んでいることがわかる。
【００６３】
次に、端末装置４０自体が、図６〜図９のような表示を行う例について説明する。
この場合の端末装置４０の構成を図１０に示す。なお、上述した構成要素と同一の構成要素については同一の符号を付し、説明を省略する場合もある。
【００６４】
端末装置４０の制御部４４は、記憶部４６に記憶されている再生ログデータ（少なくともフレーズごとのＩＤ情報及びフレーズごとの再生開始時間を含む）を、フレーズごとに再生に要した時間及びフレーズごとの再生回数に変換し、変換したフレーズごとに再生に要した時間及びフレーズごとの再生回数を表示部４１に表示させることができる。
各フレーズの再生に要した時間及び各フレーズの再生回数の表示は、あらかじめ記憶部４６に記憶されていた表示ソフトウェアＢが制御部４４に読み出されることによって実行される。
【００６５】
このとき、各フレーズの再生に要した時間及び各フレーズの再生回数のみを表示する場合、端末装置４０の表示部４１には、図６に示した内容と同一の内容が表示される。
また、各フレーズの再生に要した時間及び各フレーズの再生回数と、視線位置と、タップ位置とを合わせて端末装置４０の表示部４１に表示する場合、図７に示した内容と同一の内容が表示される。
【００６６】
また、デジタルコンテンツの再生に要した時間及び視線位置を示すグラフとして、フレーズごとのハイライト表示なし及び音声再生なしで視線位置のみを示したグラフ、並びにフレーズごとにハイライト表示させた場合であって、且つ音声再生も行った場合の各フレーズの再生に要した時間と視線位置を示すグラフを、端末装置４０の表示部４１に表示する場合、図８又は図９に示した内容と同一の内容が表示される。
【００６７】
これらの表示を端末装置４０で実行することによって、児童生徒自身が、文章の内容の理解度を認識することができる。
【００６８】
また、端末装置４０は、学習用デジタルコンテンツの再生中に、検出した視線位置を表示できる。この例を図１１に示す。
端末装置４０の再生ソフトウェアＡは、カメラ７０によって撮影され、視線検出部７５によって検出された視線位置をリアルタイムで表示する。再生ソフトウェアＡは、高速再生中に視線位置を丸い形状で表示する。
【００６９】
なお、上述してきた実施形態は、録音された音声データを再生するものについて説明してきた。しかし、録音された音声データが無く、テキストデータを音声データに変換するＴＴＳ（ｔｅｘｔ  ｔｏ  ｓｐｅｅｃｈ）システムを採用することも可能である。ただし、ＴＴＳシステムを採用する場合、端末装置４０においてＴＴＳ機能を備えた制御部を設けることが必要となる。
【００７０】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００７１】
２０  教育支援システム
２１  ネットワーク
３０  サーバ装置
４０  端末装置
４１  表示部
４２  インターフェース部
４４  制御部
４６  記憶部
４７  スピーカ
４９  再生条件設定部
５０  再生ボタン
５２  早送りボタン
５４  巻き戻しボタン
５６  次ページボタン
５８  前ページボタン
６０  記憶部
６２  インターフェース部
６３  表示部
６４  制御部
６５  入力部
７０  カメラ
７２  タップ位置検出部
７５  視線検出部
【図１】
2016212169.tif 000003
【図２】
2016212169.tif 000004
【図３】
2016212169.tif 000005
【図４】
2016212169.tif 000006
【図５】
2016212169.tif 000007
【図１０】
2016212169.tif 000008
【図６】
2016212169.tif 000009
【図７】
2016212169.tif 000010
【図８】
2016212169.tif 000011
【図９】
2016212169.tif 000012
【図１１】
2016212169.tif 000013